(57)【要約】【課題】  金銭の譲渡を伴うプレゼントメールの提供と金銭譲渡の決済処理を安全、確実、迅速且つ安価に一元的に行うことができるコンピュータシステムを提供する。【解決手段】  本発明のコンピュータシステムは、インターネットなどのネットワーク５０上で決済処理を行なう決済サーバ１０と、ネットワーク５０に接続され、商品、サービス、情報、及びこれらの宣伝や広告を含むコンテンツを提供するＡコンテンツサーバ２０Ａ、Ｂコンテンツサーバ２０Ｂ及びＣコンテンツサーバ２０Ｃと、ネットワーク５０に接続可能なユーザ端末３０ａ，３０ｂと、ユーザ端末３０ａ，３０ｂとネットワーク５０を通信可能に接続するプロバイダ４０ａ，４０ｂと、を備える。【選択図】  図１
2005222353.tif 000002
【特許請求の範囲】
【請求項１】
コンピュータネットワーク上で金銭譲渡付き広告の電子メール（以下、「プレゼントメール」ともいう）を処理する決済サーバであって、
前記プレゼントメールを送信する宛先である電子メールアドレスを記憶する電子メールアドレス記憶手段と、
前記プレゼントメールのコンテンツと当該コンテンツに関連付けられた譲渡金銭額を記憶するコンテンツサマリ記憶手段と、
前記コンテンツサマリ記憶手段に記憶されている前記コンテンツ及び当該コンテンツに関連付けられた譲渡金銭額と、前記電子メールアドレス記憶手段に記憶されている前記電子メールアドレスに基づいて、プレゼントメールを生成する電子メール生成手段と、
前記電子メール生成手段で生成された前記プレゼントメールを送信する電子メール送信手段と、
前記プレゼントメールに示された譲渡金銭額の受取申込を前記プレゼントメールの受信者側から要求されることに応じて、前記プレゼントメールの前記コンテンツの提供者の口座から前記受信者側の口座へ前記譲渡金銭額を振り替える決済処理手段と、
を備える、ことを特徴とする決済サーバ。
【請求項２】
前記プレゼントメールのコンテンツと当該コンテンツに関連付けられた譲渡金銭額を前記コンテンツサマリ記憶手段に登録するプレゼントメール登録手段を備える、ことを特徴とする請求項１記載の決済サーバ。
【請求項３】
前記プレゼントメール登録手段は、前記プレゼントメールのコンテンツと当該コンテンツに関連付けられた譲渡金銭額を前記コンピュータネットワークを介して受け取る、ことを特徴とする請求項２記載の決済サーバ。
【請求項４】
前記電子メール生成手段で生成された前記プレゼントメールを記憶するプレゼントメール記憶手段を備え、
前記電子メール送信手段は、前記プレゼントメール記憶手段に記憶されている前記プレゼントメールを送信する、
ことを特徴とする請求項１から３何れか記載の決済サーバ。
【請求項５】
前記プレゼントメールの前記コンテンツの提供者の口座情報と、前記受信者側の口座情報を記憶する口座記憶手段を備え、
前記決済処理手段は、前記口座記憶手段に記憶されている口座情報に基づいて行なわれる、
ことを特徴とする請求項１から４何れか記載の決済サーバ。
【請求項６】
前記プレゼントメールは、複数のコンテンツと、各コンテンツ毎に設定された譲渡金銭額とを含む、ことを特徴とする請求項１から５何れか記載の決済サーバ。
【請求項７】
前記コンピュータネットワークは、インターネットであり、
前記プレゼントメールは、前記コンテンツを表示するＷｅｂサイトのアドレスを含む、ことを特徴とする請求項１から６何れか記載の決済サーバ。
【請求項８】
コンピュータネットワーク上での決済処理を行なう決済サーバと、
前記コンピュータネットワークに接続され、商品、サービス、情報、及びこれらの宣伝や広告を含むコンテンツを提供するコンテンツサーバと、
前記コンピュータネットワークに接続可能なユーザ端末と、
を備える、コンピュータシステムにおいて、
前記コンテンツサーバは、前記ユーザ端末側に提供するコンテンツと当該コンテンツに付与する譲渡金銭額とを前記決済サーバに登録し、
前記決済サーバは、前記請求項１から７何れか記載の決済サーバであり、
前記ユーザ端末は、前記決済サーバからプレゼントメールを受け取り、当該プレゼントメールに含まれるコンテンツの確認に応じて、前記プレゼントメールに示された譲渡金銭額の受取申込を前記決済サーバに行なう、
ことを特徴とするコンピュータシステム。
【請求項９】
前記ユーザ端末は、ＰＣ（Ｐｅｒｓｏｎａｌ  Ｃｏｍｐｕｔｅｒ）である、ことを特徴とする請求項８記載のコンピュータシステム。
【請求項１０】
前記ユーザ端末は、モバイル端末である、ことを特徴とする請求項８記載のコンピュータシステム。
【請求項１１】
前記コンピュータネットワークは、インターネットである、ことを特徴とする請求項８から１０何れか記載のコンピュータシステム。
【請求項１２】
コンピュータネットワーク上でプレゼントメールを処理するプレゼントメール処理方法であって、
（Ａ）コンテンツと譲渡金銭額を指定して、コンテンツサーバから決済サーバへプレゼントメールの提供の依頼を行い、
（Ｂ）前記決済サーバで前記コンテンツと前記譲渡金銭額を含むプレゼントメールを作成し、当該プレゼントメールをユーザ側端末へ送信し、
（Ｃ）ユーザ端末側からの前記譲渡金銭の受取申込に応じて、決済処理を行なう、
ことを特徴とするプレゼントメール処理方法。
【請求項１３】
前記ステップ（Ｃ）は、前記決済サーバに前記ユーザ側の口座が存在しない場合、前記ユーザ側の口座を開設後に、前記決済処理を行なう、ことを特徴とする請求項１２記載のプレゼントメール処理方法。
【請求項１４】
コンピュータネットワーク上でプレゼントメールを処理するためのプログラムであって、
前記請求項１から７何れか記載の決済サーバの機能を、コンピュータに実現させるためのプログラム。
【請求項１５】
コンピュータネットワーク上でプレゼントメールを処理するためのプログラムであって、
前記請求項１２又は１３記載のプレゼントメール処理方法の処理を、コンピュータに実現させるためのプログラム。
【発明の詳細な説明】
【技術分野】
【０００１】
本発明は、コンピュータネットワーク上でプレゼントメールを処理するための決済サーバ、コンピュータシステム、プレゼントメール処理方法及びプログラムに関する。特には、金銭の譲渡を伴うプレゼントメールの提供と金銭譲渡の決済処理を決済サーバで安全、確実、迅速且つ安価に一元的に行うことができる決済サーバ、コンピュータシステム、プレゼントメール処理方法及びプログラムに関する。
【背景技術】
【０００２】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ  Ｃｏｎｔｒｏｌ  Ｐｒｏｔｏｃｏ）／ＩＰ（Ｉｎｔｅｒｎｅｔ  Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ  Ｗｉｄｅ  Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００６】
このインターネットビジネス（ｅビジネス）においては、インターネット上に店舗サーバを設け、商品のサンプル写真や説明文などをＷｅｂページ上に載せ、商品の売買を行うサービスも存在している。
【０００７】
このような電子商取引を成功させるためには、自己のサービス内容を多くのユーザに知ってもらう必要がある。
【０００８】
特許出願２００２−１１９８８０号公報には、インターネット上での広告閲覧サービス方式および方法について記載されている。この広告閲覧サービス方式および方法は、ルータ装置に接続された複数のユーザ端末を具備した宅内システム複数と、ユーザ端末からＷｅｂサーバへの接続サービスを行うＩＳＰサーバとを備え、ルータ装置は、ユーザ端末がＩＳＰサーバのホームページにアクセスした情報を基にユーザ端末の画面上からＷｅｂサーバに登録された広告が閲覧されるとサービスポイントを加算し、自装置内に保存する、ことを特徴としている。
【０００９】
この広告閲覧サービス方式および方法によれば、Ｗｅｂページに掲載した広告を積極的に閲覧させる仕組みを提供し、ルータ装置を利用したユーザに特典を与えることができる。
【００１０】
また、上記の他、電子メールにＷｅｂページの広告や宣伝とその閲覧者に提供される特典を含めて、不特定多数の又は登録されたユーザに送信することも行なわれている。
【特許文献１】特許出願２００２−１１９８８０号公報
【発明の開示】
【発明が解決しようとする課題】
【００１１】
しかしながら、従来の広告閲覧方法では、広告内容や電子メールの送信などをそのコンテンツホルダ自信で行なう必要があり、例えば、閲覧者に提供される特典を金銭にした場合、その受け渡しが困難で、コンテンツホルダ自信で行なうことができなかった。
【００１２】
また、閲覧者に提供される特典の金銭の振替を銀行で個別に行なうと、その手数料のコストが大きくなり、現実的ではない。
【００１３】
従って、本発明の目的は、金銭の譲渡を伴うプレゼントメールの提供と金銭譲渡の決済処理を安全、確実、迅速且つ安価に一元的に行うことができる決済サーバ、コンピュータシステム、プレゼントメール処理方法及びプログラムを提供することである。
【課題を解決するための手段】
【００１４】
上記課題を解決するため、本発明の決済サーバは、コンピュータネットワーク上で金銭譲渡付き広告の電子メール（以下、「プレゼントメール」ともいう）を処理する決済サーバであって、プレゼントメールを送信する宛先である電子メールアドレスを記憶する電子メールアドレス記憶手段と、プレゼントメールのコンテンツと当該コンテンツに関連付けられた譲渡金銭額を記憶するコンテンツサマリ記憶手段と、コンテンツサマリ記憶手段に記憶されているコンテンツ及び当該コンテンツに関連付けられた譲渡金銭額と、電子メールアドレス記憶手段に記憶されている電子メールアドレスに基づいて、プレゼントメールを生成する電子メール生成手段と、電子メール生成手段で生成されたプレゼントメールを送信する電子メール送信手段と、プレゼントメールに示された譲渡金銭額の受取申込をプレゼントメールの受信者側から要求されることに応じて、プレゼントメールのコンテンツの提供者の口座から受信者側の口座へ譲渡金銭額を振り替える決済処理手段と、を備える、ことを特徴とする。
【００１５】
ここで、プレゼントメールのコンテンツと当該コンテンツに関連付けられた譲渡金銭額をコンテンツサマリ記憶手段に登録するプレゼントメール登録手段を備える、ことができる。
【００１６】
また、プレゼントメール登録手段は、プレゼントメールのコンテンツと当該コンテンツに関連付けられた譲渡金銭額をコンピュータネットワークを介して受け取る、ことができる。
【００１７】
また、電子メール生成手段で生成されたプレゼントメールを記憶するプレゼントメール記憶手段を備え、電子メール送信手段は、プレゼントメール記憶手段に記憶されているプレゼントメールを送信する、ようにするとよい。
【００１８】
さらに、プレゼントメールのコンテンツの提供者の口座情報と、受信者側の口座情報を記憶する口座記憶手段を備え、決済処理手段は、口座記憶手段に記憶されている口座情報に基づいて行なわれる、ことができる。
【００１９】
ここで、プレゼントメールは、複数のコンテンツと、各コンテンツ毎に設定された譲渡金銭額とを含む、ことができる。
【００２０】
また、コンピュータネットワークは、インターネットであり、プレゼントメールは、コンテンツを表示するＷｅｂサイトのアドレスを含む、ことができる。
【００２１】
また、上記課題を解決するため、本発明のコンピュータシステムは、コンピュータネットワーク上での決済処理を行なう決済サーバと、コンピュータネットワークに接続され、商品、サービス、情報、及びこれらの宣伝や広告を含むコンテンツを提供するコンテンツサーバと、コンピュータネットワークに接続可能なユーザ端末と、を備える、コンピュータシステムにおいて、コンテンツサーバは、ユーザ端末側に提供するコンテンツと当該コンテンツに付与する譲渡金銭額とを決済サーバに登録し、決済サーバは、上記何れか記載の決済サーバであり、ユーザ端末は、決済サーバからプレゼントメールを受け取り、当該プレゼントメールに含まれるコンテンツの確認に応じて、プレゼントメールに示された譲渡金銭額の受取申込を決済サーバに行なう、ことを特徴とする。
【００２２】
ユーザ端末は、ＰＣ（Ｐｅｒｓｏｎａｌ  Ｃｏｍｐｕｔｅｒ）又はモバイル端末である、ことができる。また、コンピュータネットワークは、インターネットである、ことができる。
【００２３】
また、上記課題を解決するため、本発明のプレゼントメール処理方法は、コンピュータネットワーク上でプレゼントメールを処理するプレゼントメール処理方法であって、（Ａ）コンテンツと譲渡金銭額を指定して、コンテンツサーバから決済サーバへプレゼントメールの提供の依頼を行い、（Ｂ）決済サーバでコンテンツと譲渡金銭額を含むプレゼントメールを作成し、当該プレゼントメールをユーザ側端末へ送信し、（Ｃ）ユーザ端末側からの譲渡金銭の受取申込に応じて、決済処理を行なう、ことを特徴とする。
【００２４】
ここで、ステップ（Ｃ）は、決済サーバにユーザ側の口座が存在しない場合、ユーザ側の口座を開設後に、決済処理を行なう、ことができる。
【００２５】
また、上記課題を解決するため、本発明の第１の態様のプログラムは、コンピュータネットワーク上でコンピュータに決済をさせるためのプログラムであって、上述の何れかの決済サーバの機能を、コンピュータに実現させる、ことを特徴とする。。
【００２６】
また、上記課題を解決するため、本発明の第２の態様のプログラムは、コンピュータネットワーク上でコンピュータに決済をさせるためのプログラムであって、上述の何れかのプレゼントメール処理方法の処理を、コンピュータに実現させる、ことを特徴とする。
【発明の効果】
【００２７】
本発明の決済サーバ、決済システム、決済方法及びプログラムによれば、決済サーバでプレゼントメールの生成と送信、及びその特典である金銭譲渡の決済処理を一元的に行なうため、金銭の譲渡を伴うプレゼントメールの提供と金銭譲渡の決済処理を安全、確実、迅速且つ安価に行うことができる。
【発明を実施するための最良の形態】
【００２８】
以下、図面を参照して本発明の決済サーバ、コンピュータシステム、プレゼントメール処理方法及びプログラムの実施の形態を説明する。
【００２９】
図１は、本発明のコンピュータシステムを示す図である。本発明のコンピュータシステムは、インターネットなどのコンピュータネットワーク（以下、単に「ネットワーク」ともいう）５０上で決済処理を行なう決済サーバ１０と、ネットワーク５０に接続され、商品、サービス、情報、及びこれらの宣伝や広告を含むコンテンツを提供するＡコンテンツサーバ２０Ａ、Ｂコンテンツサーバ２０Ｂ及びＣコンテンツサーバ２０Ｃ（以下、まとめて単に「コンテンツサーバ２０Ａ〜Ｃ」ともいう）と、ネットワーク５０に接続可能なユーザ端末（図１においては、ＰＣ（Ｐｅｒｓｏｎａｌ  Ｃｏｍｐｕｔｅｒ）３０ａ，モバイル端末である携帯電話３０ｂ）と、ユーザ端末３０ａ，３０ｂとネットワーク５０を通信可能に接続するプロバイダ４０ａ，４０ｂと、を備える。
【００３０】
ここで、ユーザ端末は、ＰＣ３０ａ，携帯電話３０ｂに限られず、ネットワーク５０に接続可能な機器や形態であればどのようなものでもよい。また、コンテンツサーバ２０Ａ〜Ｃは、ユーザ端末３０ａ，３０ｂ側に提供するコンテンツと当該コンテンツに付与する譲渡金銭額とを決済サーバ１０に登録し、ユーザ端末３０ａ，３０ｂは、決済サーバ１０からプレゼントメールを受け取り、当該プレゼントメールに含まれるコンテンツの確認に応じて、プレゼントメールに示された譲渡金銭額の受取申込を決済サーバ１０に行なう。
【００３１】
図２は、本発明の決済サーバ１０を示す図である。この決済サーバ１０は、コンピュータネットワーク５０との間で通信を行う通信制御部１１と、プレゼントメールのコンテンツと当該コンテンツに関連付けられた譲渡金銭額を記憶するコンテンツサマリＤＢ１５と、プレゼントメールのコンテンツと当該コンテンツに関連付けられた譲渡金銭額をコンテンツサマリＤＢ１５に登録するプレゼントメール登録部１４と、プレゼントメールを送信する宛先である電子メールアドレスを記憶する電子メールアドレスＤＢ１９と、コンテンツサマリＤＢ１５に記憶されているコンテンツ及び当該コンテンツに関連付けられた譲渡金銭額と、電子メールアドレスＤＢ１９に記憶されている電子メールアドレスに基づいて、プレゼントメールを生成する電子メール生成部１６と、電子メール生成部１６で生成されたプレゼントメールを記憶するプレゼントメールＤＢ１７と、電子メール生成部１６手段で生成され、プレゼントメールＤＢ１７に記憶されたプレゼントメールを送信する電子メール送信部１８と、プレゼントメールのコンテンツの提供者（コンテンツサーバ２０Ａ〜Ｃ）の口座情報と、受信者側（ユーザ端末３０ａ、３０ｂ）の口座情報を記憶する口座ＤＢ１３と、プレゼントメールに示された譲渡金銭額の受取申込をプレゼントメールの受信者側（ユーザ端末３０ａ、３０ｂ）から要求されることに応じて、口座ＤＢ１３に記憶されている口座情報に基づいて、プレゼントメールのコンテンツの提供者の口座から受信者側の口座へ譲渡金銭額を振り替える決済処理部１２と、を備える。
【００３２】
また、プレゼントメール登録部１４は、プレゼントメールのコンテンツと当該コンテンツに関連付けられた譲渡金銭額をネットワーク５０を介して受け取る。
【００３３】
ここで、プレゼントメールは、複数のコンテンツと、各コンテンツ毎に設定された譲渡金銭額とを含む。すなわち、１つのプレゼントメールに複数の広告や宣伝のコンテンツを含ませ、それぞれのコンテンツ毎に譲渡金額を割り当てることができる。また、プレゼントメールは、コンテンツを表示するＷｅｂサイトのアドレスであってもよい。
【００３４】
図３は、本発明のプレゼントメール処理方法を示すフローチャートである。コンテンツサーバ２０Ａ〜Ｃから決済サーバ１０にプレゼントメールの提供依頼が行なわれる（ステップ３０１）。このとき、コンテンツサーバ２０Ａ〜Ｃは、プレゼントメールに含む広告や宣伝用のコンテンツと譲渡金銭額を提示する。また、広告や宣伝用のコンテンツに替えてそのコンテンツが提供されるＷｅｂサイトのアドレス（ＵＲＬ）を提示してもよい。
【００３５】
決済サーバ１０では、プレゼントメールの提供依頼に応じて、プレゼントメールを作成し、ユーザ端末３０ａ，３０ｂへプレゼントメールを送信する（ステップ３０２）。
【００３６】
図４は、プレゼントメールの内容と金銭譲渡（ユーザ側から見れば金銭獲得）までの処理を示す図である。ユーザ端末３０ａ，３０ｂでは、図４に示すようにプレゼントメールを開いて各コンテンツの内容を確認する（ステップ３０３）。そして、ユーザ端末３０ａ，３０ｂから所定のＷｅｂページ上で金銭譲渡の申込（例えば、電子マネーの受取申込など）を行なう（ステップ３０４）。このとき、ユーザ端末３０ａ，３０ｂにユーザの口座が決済サーバ１０に登録されているかどうかを確認し（ステップ３０５）、未登録の場合には、決済サーバ１０からユーザ側へ口座開設の要求をする（ステップ３０６）。
【００３７】
ユーザの口座が決済サーバ１０に登録されている場合、又は、ユーザが、口座の開設を行い（ステップ３０７）、口座が登録される（ステップ３０８）と、決済サーバ１０で、金銭の振替が口座間で行なわれる。例えば、コンテンツサーバ提供者の口座からユーザ側口座への電子マネーの振り替えなどを行なう（ステップ３０９）。
【００３８】
図４に示すように、プレゼントメールに複数の宣伝広告用コンテンツが含まれる場合には、他のコンテンツを閲覧するかどうかを確認し、閲覧する場合にはステップ３０３からの処理を繰り返す。
【００３９】
また、上述した決済サーバ１０の機能又はプレゼントメール処理方法の処理を、コンピュータに実現させるプログラムとすることができる。
【図面の簡単な説明】
【００４０】
【図１】本発明のコンピュータシステムを示す図である。
【図２】本発明の決済サーバを示す図である。
【図３】本発明のプレゼントメール処理方法を示すフローチャートである。
【図４】プレゼントメールの内容と金銭譲渡までの処理を示す図である。
【符号の説明】
【００４１】
１０  決済サーバ
１１  通信制御部
１２  決済処理部
１３  口座ＤＢ
１４  プレゼントメール登録部
１５  コンテンツサマリＤＢ
１６  電子メール生成部
１７  プレゼントメールＤＢ
１８  電子メール送信部
１９  電子メールアドレスＤＢ
２０Ａ  Ａコンテンツサーバ
２０Ｂ  Ｂコンテンツサーバ
２０Ｃ  Ｃコンテンツサーバ
３０ａ  ＰＣ
３０ｂ  携帯電話
４０ａ，４０ｂ  プロバイダ
５０  ネットワーク
【図１】
2005222353.tif 000003
【図２】
2005222353.tif 000004
【図３】
2005222353.tif 000005
【図４】
2005222353.tif 000006